(57)【要約】【課題】複数の支持ピン５１をＸ方向に間隔を存して列設したピン列５０を並設し、各ピン列の支持ピンを起伏自在とした可倒式食器支持部５１をかご本体３に組み付けた食器洗浄機用の食器かごにおいて、可倒式食器支持部を容易に組み付けられるようにする。【解決手段】各ピン列５０の支持ピン５１の基端部を固定したＸ方向に長手の連結線材５２の両端部をかご本体３に設けたＸ方向外方と内方の軸支部３１１，３２１に挿通する。連結線材５２のＸ方向外方端に曲成した折り曲げ部５２ａとＸ方向最外方の支持ピン５１との間の距離ＬａをＸ方向最内方の支持ピン５１と連結線材５２のＸ方向内方端との間の距離Ｌｂより長くし、且つ、連結線材５２のＸ方向内方端がＸ方向内方の軸支部３２１から抜ける前に、折り曲げ部５２ａが洗浄槽の壁部１ａに当接するようにする。【選択図】図２
2014204755.tif 000002
【特許請求の範囲】
【請求項１】
食器洗浄機の洗浄槽内に収納される食器かごであって、
かご本体に可倒式食器支持部が組み付けられ、この可倒式食器支持部は、複数の支持ピンを間隔を存して一列縦隊で列設したピン列を平行に２つ並設して構成され、各ピン列の支持ピンの列設方向をＸ方向、２つのピン列の並設方向をＹ方向として、各ピン列の複数の支持ピンをＹ方向に起伏自在とするものにおいて、
各ピン列の複数の支持ピンの基端部がＸ方向に長手の連結線材に固定され、
Ｘ方向のうち洗浄槽の壁部に接近する方向をＸ方向外方、その反対方向をＸ方向内方として、かご本体に、Ｘ方向外方の端部とそこからＸ方向内方に離隔した部分とに位置して、連結線材のＸ方向両端部を回動自在に挿通するＸ方向外方と内方の軸支部が設けられ、
連結線材のＸ方向外方端にＸ方向に直交する折り曲げ部が曲成され、
各ピン列の複数の支持ピンのうちＸ方向最外方の支持ピンと折り曲げ部との間のＸ方向距離は、各ピン列の複数の支持ピンのうちＸ方向最内方の支持ピンと連結線材のＸ方向内方端との間のＸ方向距離よりも長く、Ｘ方向外方の軸支部とＸ方向内方の軸支部との間のＸ方向距離は、折り曲げ部と連結線材のＸ方向内方端との間のＸ方向距離よりも短く、且つ、Ｘ方向最外方の支持ピンと連結線材のＸ方向内方端との間のＸ方向距離よりも長く設定され、食器かごが洗浄槽に収納された状態では、連結線材のＸ方向内方端がＸ方向内方の軸支部からＸ方向外方に抜け出る前に、折り曲げ部が洗浄槽の壁部に当接することを特徴とする食器洗浄機用の食器かご。
【請求項２】
前記かご本体に、前記支持ピンが起立したときに前記折り曲げ部が当接するストッパ部が設けられることを特徴とする請求項１記載の食器洗浄機用の食器かご。
【発明の詳細な説明】
【技術分野】
【０００１】
本発明は、食器洗浄機の洗浄槽内に収納される食器洗浄機用の食器かごに関する。
【背景技術】
【０００２】
従来、この種の食器かごとして、特許文献１により、かご本体に可倒式の食器支持部を組み付けたものが知られている。可倒式食器支持部は、複数の支持ピンを間隔を存して一列縦隊で列設したピン列を平行に２つ並設して構成され、各ピン列の支持ピンの列設方向をＸ方向、２つのピン列の並設方向をＹ方向として、各ピン列の複数の支持ピンをＹ方向に起伏自在としている。これによれば、支持ピンを起立させることで、支持ピン間に皿等の食器を挿入状態でセットできると共に、支持ピンを倒伏することにより、鍋やボールといった大型の被洗浄物を食器かごにセットすることができる。
【０００３】
ここで、上記従来例では、各ピン列の複数の支持ピンをＸ方向に長手の連結線材に固定すると共に、支持ピンの基端部にカール部を形成しておき、このカール部に挿通されるＸ方向に長手の軸用線材をかご本体に溶接し、軸用線材に対するカール部の回動で支持ピンがＹ方向に起伏自在となるようにしている。
【０００４】
然し、このものでは、軸用線材に可動物たる各ピン列の支持ピンを取り付けた状態で軸用線材をかご本体に溶接する必要があって、溶接作業が面倒になり、食器かごに対する可倒式食器支持部の組み付け作業性が悪くなる。
【先行技術文献】
【特許文献】
【０００５】
【特許文献１】特開２００４−４１６８６号公報
【発明の概要】
【発明が解決しようとする課題】
【０００６】
本発明は、以上の点に鑑み、可倒式食器支持部を容易に組み付けられるようにした食器洗浄機用の食器かごを提供することをその課題としている。
【課題を解決するための手段】
【０００７】
上記課題を解決するために、本発明は、食器洗浄機の洗浄槽内に収納される食器かごであって、かご本体に可倒式食器支持部が組み付けられ、この可倒式食器支持部は、複数の支持ピンを間隔を存して一列縦隊で列設したピン列を平行に２つ並設して構成され、各ピン列の支持ピンの列設方向をＸ方向、２つのピン列の並設方向をＹ方向として、各ピン列の複数の支持ピンをＹ方向に起伏自在とするものにおいて、各ピン列の複数の支持ピンの基端部がＸ方向に長手の連結線材に固定され、Ｘ方向のうち洗浄槽の壁部に接近する方向をＸ方向外方、その反対方向をＸ方向内方として、かご本体に、Ｘ方向外方の端部とそこからＸ方向内方に離隔した部分とに位置して、連結線材のＸ方向両端部を回動自在に挿通するＸ方向外方と内方の軸支部が設けられ、連結線材のＸ方向外方端にＸ方向に直交する折り曲げ部が曲成され、各ピン列の複数の支持ピンのうちＸ方向最外方の支持ピンと折り曲げ部との間のＸ方向距離は、各ピン列の複数の支持ピンのうちＸ方向最内方の支持ピンと連結線材のＸ方向内方端との間のＸ方向距離よりも長く、Ｘ方向外方の軸支部とＸ方向内方の軸支部との間のＸ方向距離は、折り曲げ部と連結線材のＸ方向内方端との間のＸ方向距離よりも短く、且つ、Ｘ方向最外方の支持ピンと連結線材のＸ方向内方端との間のＸ方向距離よりも長く設定され、食器かごが洗浄槽に収納された状態では、連結線材のＸ方向内方端がＸ方向内方の軸支部からＸ方向外方に抜け出る前に、折り曲げ部が洗浄槽の壁部に当接することを特徴とする。
【０００８】
本発明によれば、Ｘ方向外方の軸支部に連結線材の折り曲げ部をＸ方向内方から挿通した後、Ｘ方向最外方の支持ピンと折り曲げ部との間に位置する連結線材の部分をＸ方向外方の軸支部を通してＸ方向外方にスライドさせることで、連結線材のＸ方向内方端をＸ方向内方の軸支部よりもＸ方向外方に位置させることができ、その後、連結線材をＸ方向内方にスライドさせて、連結線材のＸ方向内方端をＸ方向内方の軸支部にＸ方向外方から挿通することができる。これにより、連結線材の両端部を両軸支部に挿通して、可倒式食器支持部を構成する各ピン列の複数の支持ピンをかご本体に起伏自在に取り付けることができる。そのため、可倒式食器支持部を面倒な溶接作業を要することなく食器かごに容易に組み付けることができる。
【０００９】
尚、食器かごを洗浄槽に収納した状態では、連結線材のＸ方向内方端がＸ方向内方の軸支部からＸ方向外方に抜け出る前に、折り曲げ部が洗浄槽の壁部に当接するため、上述した各ピン列の取り付け状態が解除されることはない。また、食器かごを洗浄槽から取り外すと、ピン列を上記とは逆の手順でかご本体から取り外すことができる。そのため、ピン列の支持ピンが折れ曲がる等してピン列の交換が必要になったときに、ピン列を新たなものと容易に交換できる。
【００１０】
また、本発明においては、かご本体に、支持ピンが起立したときに折り曲げ部が当接するストッパ部を設けることが望ましい。これによれば、折り曲げ部が、ピン列を軸支部に対し抜け止めする部位として機能するだけでなく、かご本体のストッパ部に当接して支持ピンを起立状態に維持する部位としても有効活用されることになり、合理的である。
【図面の簡単な説明】
【００１１】
【図１】本発明の実施形態の食器かごの斜視図。
【図２】（ａ）図１の食器かごの第１可倒式食器支持部を組み付けた部分の拡大斜視図、（ｂ）図２（ａ）のＩＩｂ−ＩＩｂ線で切断した断面図。
【図３】（ａ）図１の食器かごの第２可倒式食器支持部を組み付けた部分の拡大斜視図、（ｂ）図３（ａ）のＩＩＩｂ−ＩＩＩｂ線で切断した断面図。
【発明を実施するための形態】
【００１２】
図１を参照して、１は、食器洗浄機に設けられる前方に引き出し自在な洗浄槽を示しており、この洗浄槽１内に本発明の実施形態の食器かご２が収納されている。この食器かご２は、縦横複数の線材を組み合わせて構成されるかご本体３と、かご本体３の後部上方に配置した折り畳み自在な棚部４と、かご本体３の前部の横方向一側部と他側部とに組み付けた第１と第２の２つの可倒式食器支持部５１，５２とを備えている。
【００１３】
図２、図３を参照して、各可倒式食器支持部５１，５２は、複数の支持ピン５１を間隔を存して一列縦隊で列設したピン列５０を平行に２つ並設して構成されている。ここで、各ピン列５０の複数の支持ピン５１の列設方向をＸ方向（第１可倒式食器支持部５１では横方向、第２可倒式食器支持部５２では前後方向）、２つのピン列５０，５０の並設方向をＹ方向（第１可倒式食器支持部５１では前後方向、第２可倒式食器支持部５２では横方向）として、各ピン列５０は、Ｘ方向に長手の連結線材５２に複数の支持ピン５１の基端部を溶接等で固定して構成されている。
【００１４】
また、Ｘ方向のうち洗浄槽１の壁部（第１可倒式食器支持部５１に関しては洗浄槽１の横方向一側の壁部１ａ、第２可倒式食器支持部５２に関しては洗浄槽１の前面の壁部１ｂ）に接近する方向をＸ方向外方、その反対方向をＸ方向内方として、かご本体３に、各可倒式食器支持部５１，５２に対応して、Ｘ方向外方の端部に位置するＹ方向に離隔した各一対のＸ方向外方の軸支部３１１，３１１、３１２，３１２と、そこからＸ方向内方に所定距離離隔した部分に位置するＹ方向に離隔した各一対のＸ方向内方の軸支部３２１，３２１、３２２，３２２とが設けられている。そして、第１可倒式食器支持部材５１の各ピン列５０の連結線材５２のＸ方向両端部を対応するＸ方向外方と内方の軸支部３１１，３２１に回動自在に挿通すると共に、第２可倒式食器支持部材５２の各ピン列５０の連結線材５２のＸ方向両端部を対応するＸ方向外方と内方の軸支部３１２，３２２に回動自在に挿通し、各可倒式食器支持部５１，５２の各ピン列５０の複数の支持ピン５１をＹ方向に起伏自在としている。尚、各軸支部３１１〜３２２は、線材をカールさせて形成している。
【００１５】
また、各可倒式食器支持部５１，５２の各ピン列５０の連結線材５２のＸ方向外方端には、Ｘ方向に直交する折り曲げ部５２ａが曲成されている。更に、かご本体３に、Ｘ方向外方の軸支部３１１，３１２のＹ方向外側でＸ方向外方にのびる線材部分で構成されるストッパ部３３１，３３２を設けている。そして、各可倒式食器支持部５１，５２の各ピン列５０の支持ピン５１をＹ方向内側に倒伏した状態から起立させたときに、支持ピン５１がＹ方向外側に若干傾いた所定の起立姿勢（図示の姿勢）になったところで折り曲げ部５２ａがストッパ部３３１，３３２に当接して、支持ピン５１が起立姿勢に維持されるようにしている。
【００１６】
図２（ｂ）、図３（ｂ）を参照して、各可倒式食器支持部５１，５２の各ピン列５０の複数の支持ピン５１のうちＸ方向最外方の支持ピン５１と折り曲げ部５２ａとの間のＸ方向距離Ｌａは、各ピン列５０の複数の支持ピン５１のうちＸ方向最内方の支持ピン５１と連結線材５２のＸ方向内方端との間のＸ方向距離Ｌｂよりも長く設定されている。また、各可倒式食器支持部５１，５２に対応するＸ方向外方の軸支部３１１，３１２とＸ方向内方の軸支部３２１，３２２との間のＸ方向距離Ｌ１は、各可倒式食器支持部５１，５２の各ピン列５０の連結線材５２の折り曲げ部５２ａと連結線材５２のＸ方向内方端との間のＸ方向距離Ｌ２よりも短く、且つ、各ピン列５０のＸ方向最外方の支持ピン５１と連結線材５２のＸ方向内方端との間のＸ方向距離Ｌ３よりも長く設定されている。更に、食器かご２が洗浄槽１に収納された状態では、各可倒式食器支持部５１，５２の各ピン列５０の連結線材５２のＸ方向内方端が各可倒式食器支持部５１，５２に対応するＸ方向内方の軸支部３２１，３２２からＸ方向外方に抜け出る前に、折り曲げ部５２ａが洗浄槽１の対応する壁部１ａ，１ｂに当接するようにしている。
【００１７】
以上の構成によれば、各ピン列５０の連結線材５２を折り曲げ部５２ａがＸ方向に沿うように図示の姿勢から９０°旋回させた状態で、折り曲げ部５２ａをＸ方向外方の軸支部３１１，３１２にＸ方向内方から挿通した後、各ピン列５０のＸ方向最外方の支持ピン５１と折り曲げ部５２ａとの間に位置する連結線材５２の部分（距離Ｌａの部分）をＸ方向外方の軸支部３１１，３１２を通してＸ方向外方にスライドさせることで、連結線材５２のＸ方向内方端をＸ方向内方の軸支部３２１，３２２よりもＸ方向外方に位置させることができる。従って、その後に連結線材５２をＸ方向内方にスライドさせて、連結線材５２のＸ方向内方端とＸ方向最内方の支持ピン５１との間の連結線材５２の部分（距離Ｌｂの部分）をＸ方向内方の軸支部３２１，３２２にＸ方向外方から挿通できる。これにより、連結線材５２の両端部をＸ方向外方の軸支部３１１，３１２とＸ方向内方の軸支部３２１，３２２とに挿通して、各可倒式食器支持部５１，５２を構成する各ピン列５０の複数の支持ピン５１をかご本体３に起伏自在に取り付けることができる。そのため、各可倒式食器支持部５１，５２を面倒な溶接作業を要することなく食器かご２に容易に組み付けることができる。
【００１８】
尚、食器かご２を洗浄槽１に収納した状態では、各可倒式食器支持部５１，５２の各ピン列５０の連結線材５２のＸ方向内方端がＸ方向内方の軸支部３２１，３２２からＸ方向外方に抜け出る前に、折り曲げ部５２ａが洗浄槽１の壁部１ａ，１ｂに当接するため、上述した各ピン列５０の取り付け状態が解除されることはない。また、食器かご２を洗浄槽１から取り外すと、ピン列５０を上記とは逆の手順でかご本体３から取り外すことができる。そのため、ピン列５０の支持ピ５１ンが折れ曲がる等してピン列５０の交換が必要になったときに、ピン列５０を新たなものと容易に交換できる。
【００１９】
更に、本実施形態では、折り曲げ部５２ａが、各可倒式食器支持部５１，５２の各ピン列５０を軸方向外方の軸支部３１１，３１２及び軸方向内方の軸支部３２１，３２２に対し抜け止めする部位として機能するだけでなく、かご本体３のストッパ部３３１，３３２に当接して支持ピン５１を起立状態に維持する部位としても有効活用されることになり、合理的である。
【符号の説明】
【００２０】
１…洗浄槽、１ａ，１ｂ…壁部、２…食器かご、３…かご本体、３１１，３１２…Ｘ方向外方の軸支部、３２１，３２２…Ｘ方向内方の軸支部、３３１，３３２…ストッパ部、５１，５２…可倒式食器支持部、５０…ピン列、５１…支持ピン、５２…連結線材、５２ａ…折り曲げ部。
【図１】
2014204755.tif 000003
【図２】
2014204755.tif 000004
【図３】
2014204755.tif 000005